(57)【要約】【課題】非接触型ＩＣカードの情報の不正な読み取りを防止し、スキミングを防止する技術を提供すること【解決手段】金属箔をラミネートした積層材よりなる非接触式ＩＣカード収納袋。積層材はアルミニウム箔とプラスチックフィルムの積層材が好ましく、プラスチックフィルムを金属箔の両面にラミネートした積層材が特に好ましい。本発明のＩＣカード収納袋は金属箔がラミネートされており、電磁波を遮蔽するので、それに保管している限り、データを読み取られることがない。もちろん、使用するときは収納袋から取り出せばよい。【選択図】図１
2006244186.tif 000002
【特許請求の範囲】
【請求項１】
金属箔をラミネートした積層材よりなる非接触式ＩＣカード収納袋。
【請求項２】
金属箔がアルミニウム箔である請求項１の収納袋。
【請求項３】
アルミニウム箔の厚さが４〜２００μｍである請求項２の収納袋。
【請求項４】
積層材が金属箔とプラスチックフィルムの積層材である請求項１から請求項３のいずれか１項の収納袋。
【請求項５】
プラスチックフィルムが金属箔の両面に積層されている請求項４の収納袋。
【請求項６】
袋の内側に積層されるプラスチックフィルムの厚さがＩＣカードの共振電磁波の波長の１／１００以下である請求項４又は請求項５の収納袋。
【請求項７】
袋の一部にカードを取り出し易いようにするためのつまみ部となる切り欠きを有する請求項１から請求項６のいずれか１項の収納袋。
【発明の詳細な説明】
【技術分野】
【０００１】
本発明は非接触式ＩＣカードの収納袋に関する。さらに詳しくは、それに収納することで、非接触式ＩＣカードがスキミングされる危険性を防止できる収納袋に関する。
【背景技術】
【０００２】
近年、クレジットカードやキャッシュカードのスキミングが問題となりつつある。従来、磁気カードのスキミング防止方法についてはいくつかの技術が知られている（例えば、特許文献１）。しかし、近年普及しつつあるＩＣカードのスキミング防止技術はあまり知られていない。ＩＣカードには接触型と非接触型があるが、接触型はスキミングするに際してもモジュール端子をリーダライタに接触させる必要があるので、本人が全く知らないうちにスキミングされる可能性はそれほど多くはない。それに対して、非接触型ＩＣカードは電磁波を利用してデータを伝送するので、利便性は優れているものの、本人の知らないうちにスキミングされる可能性があり、問題はより大きい。例えば、街頭や電車の中などでポケットに入れたままでも、スキミングされる虞がないとはいえない。前述の磁気カードのスキミング防止技術はカード決済処理端末において不正に読み取られたことを検出するものであり、カードの情報自体の不正読み取りを防止するものではない。
【特許文献１】特開２００４−５４６７０公報
【発明の開示】
【発明が解決しようとする課題】
【０００３】
本発明の目的は、特に非接触型ＩＣカードの情報の不正な読み取りを防止し、スキミングを防止する技術を提供することである。
【課題を解決するための手段】
【０００４】
上記、本発明の目的は  金属箔をラミネートした積層材よりなる非接触式ＩＣカード収納袋により達成される。
【発明の効果】
【０００５】
本発明のＩＣカード収納袋は金属箔がラミネートされており、電磁波を遮蔽するので、それに保管している限り、データを読み取られることがない。もちろん、使用するときは収納袋から取り出せばよい。
【発明を実施するための最良の形態】
【０００６】
以下に、本発明を詳細に説明する。
本発明の収納袋は金属箔をラミネートした材料で構成されている。金属箔の種類に制限はないが、電磁波のシールド効果と価格の観点からアルミニウム箔が好ましい。アルミニウム箔の厚さは好ましくは４〜２００μｍである。４μｍ未満では電磁波のシールド効果がやや低下する。２００μｍを超えると、性能的には問題がないが、柔軟性がなくなり、収納袋としてやや扱いにくくなる。
【０００７】
金属箔のみでは特に薄い場合に強度が不十分であるので、紙、プラスチックフィルム等がラミネートされる。ヒートシール等の製袋し易さ等の点からプラスチックフィルムが好ましい。プラスチックフィルムとしては特に制限がなく、例えば、ポリエチレン、ポリプロピレン、ポリエステル、ポリスチレン、ポリ塩化ビニル、アイオノマー、ナイロン等が例示できる。これらは１層でもまた同一または異なった種類の多層でも差し支えない。また、紙とプラスチック、不織布とプラスチックの組み合わせでも差し支えない。
【０００８】
ラミネートは金属箔の片面でも両面でも差し支えない。製袋する場合、ヒートシールが一般的に用いられるので、片面ラミネートの場合は袋の内側がプラスチックフィルム層になるようにするのが好ましい。袋の内側のプラスチックフィルム層の厚さはＩＣカードの共振電磁波の波長の１／１００以下であることが好ましい。袋の内側のプラスチックフィルム層の厚さがＩＣカードの共振電磁波の波長の１／１００を超えるとＩＣカードが共振電磁波に反応しやすくなる。金属箔がアルミニウム箔、銅箔等である場合は、腐食防止のため、プラスチックフィルムを金属箔の両面にラミネートするのが特に好ましい。また、紙のようにヒートシール性を有しないかまたは劣る場合は、ヒートシール性を有する接着性のフィルムをラミネートしたり、接着剤層をコーティングするのが好ましい。
【０００９】
本発明における積層材の金属箔は、電磁波をシールドする限りにおいて多数の開口を有していてもよい。このような金属箔を用いると、収納袋の中身が透けて見えるので便利である。開口径はＩＣカードの共振電磁波の波長の１／５０以下であることが好ましく、開口率は２０〜８０％であることが好ましい。このような開口を有するアルミニウム箔の積層材は、例えば特開２００３−２７３５７５公報に開示されている。また、収納袋は、電磁波をシールドする限りにおいて切り欠きを有していてもよい。このような切り欠きがあると、カードが取り出し易くなって便利である。
【実施例】
【００１０】
以下、図面で本発明を説明する。
図１は本発明の収納袋を現した図、図２は本発明の収納袋のラミネート構造を例示した図である。
図１において、１は本発明の収納袋で、２はその開口部、３は袋のヒートシール部である。袋は図２に示す積層材でできている。６はアルミニウム箔、7ａ、７ｂはその両面にドライラミネートされたポリアミド、８はエチレンビニルアセテート（ＥＶＡ）のフィルムである。収納袋１は製袋時にヒートシール可能なようにＥＶＡが内側になるように作られる。非接触型ＩＣカード９が収納袋１に保持されると、電磁波は収納袋により遮蔽されるので、データの読み取りが不可能となる。従って、安心してキャッシュカードやクレジットカードを持ち歩くことができる。使用するときは収納袋から取り出して使用する。円弧状の切り欠きはカードを取り出し易いようにするためのつまみ部である。
【産業上の利用可能性】
【００１１】
本発明の非接触型ＩＣカード収納袋は、それに入れて携帯しても、電磁波をシールドするので、本人が気づかないうちにスキミングされる虞が極めて少なく、クレジットカード、キャッシュカード等の収納袋として有用である。
【図面の簡単な説明】
【００１２】
【図１】本発明の収納袋を表した図である。
【図２】本発明の収納袋のラミネート構造を表した図である。
【符号の説明】
【００１３】
１    収納袋
２    開口
３    ヒートシール部
６    アルミニウム箔
７ａ、７ｂ    ポリアミド
９    非接触型ＩＣカード
【図１】
2006244186.tif 000003
【図２】
2006244186.tif 000004